(57)【要約】【課題】  本発明は移動受信する場合に、あらかじめ受信装置に蓄積されている受信位置情報と関連づけられた受信情報データ、及び受信装置の現在位置情報を利用することにより、受信チャンネルや品質の異なる複数の映像や音声を切り替えて提示することで、継続的、あるいは視聴する上で最適な映像と音声の提示を実現する移動受信方法と、該方法を実現するための移動受信装置とを提供することにある。【解決手段】  １又は複数のチューナーの受信チャンネルを制御する手段として、位置情報と関連付けられた受信情報データベースを利用することを特徴とする。【選択図】      図１
2006197498.tif 000002
【特許請求の範囲】
【請求項１】
１又は複数のチューナーの受信チャンネルを制御する手段として、位置情報と関連付けられた受信情報データベースを利用することを特徴とする移動受信方法。
【請求項２】
前記受信情報データベースを参照して、受信装置の移動ルート上における複数の受信チャンネルの取得が可能な地点を抽出し、当該各地点において、移動予定地点で取得可能な受信チャンネルに切り替える地点を設定することを特徴とする請求項１記載の移動受信方法。
【請求項３】
前記受信情報データベースを参照して、受信品質の異なる複数の放送番組からなる同一内容の放送番組のうちの受信品質の低い放送番組のみを取得できる地点、及び受信品質の高い放送番組を取得できる地点のそれぞれを、受信装置の移動ルート上からそれぞれ抽出し、当該各地点毎に、受信品質の高い放送番組を選択するのか、あるいは受信品質の低い番組を選択するのかを順次切り替えることを特徴とする請求項１記載の移動受信方法。
【請求項４】
前記受信情報データベースを参照して、受信品質の異なる複数の放送番組からなる同一内容の放送番組のうちの受信品質の低い放送番組のみを取得できる地点、及び受信品質の高い放送番組を取得できる地点のそれぞれを、受信装置の移動ルート上からそれぞれ抽出し、当該各地点間において受信品質の高い放送番組を取得できるエリアが予め設定された期間よりも短期間で通過すると想定される区間では、受信品質の低い放送番組を選択することを特徴とする請求項１記載の移動受信方法。
【請求項５】
複数のアンテナと、複数のチューナーと、１又は複数の復調部と、受信位置と関連づけられた受信情報データベースを蓄積する記憶部と、本移動受信装置の位置を特定するためのＧＰＳ受信システムと、複数のチューナーの受信チャンネルを制御するチャンネル制御部とから構成し、
前記チャンネル制御部は、受信位置と関連付けられた受信情報データベースを利用し、該受信情報データベースにおいて選択された特定受信チャンネルを制御することを特徴とする移動受信装置。
【請求項６】
前記チャンネル制御部は、複数のチューナーのうちの一部又は全てのチューナーを異なる受信チャンネルに制御することを特徴とする請求項５記載の移動受信装置。
【請求項７】
複数のアンテナと、複数のチューナーと、１又は複数の復調部と、受信位置と関連づけられた受信情報データベースを蓄積する記憶部と、本移動受信装置の位置を特定するためのＧＰＳ受信システムと、複数のチューナーの受信チャンネルを制御するチャンネル制御部と、映像・音声切替部とから構成し、
前記映像・音声切替部は、同一の放送番組を品質の異なる複数の映像及び音声を伴い、これを同時に伝送するデジタル放送を受信する場合に、複数の映像及び音声の提示を切替制御する手段として、位置情報と関連付けられた受信情報データベースを利用することを特徴とする移動受信装置。
【発明の詳細な説明】
【技術分野】
【０００１】
本発明は、車載テレビ等の移動端末や携帯電話及びＰＤＡ等の携帯端末に代表される移動受信装置、そして、前述の移動受信装置を利用した移動受信方法に関するものである。
【背景技術】
【０００２】
放送形態の代表的な一例であるデジタル放送、特に日本の地上デジタル放送規格（以下、ＩＳＤＢ−Ｔ方式と記す。）においては、送信する信号帯域を１３個のセグメントに区分けしている。これによって、伝送パラメータが同一である１つ、若しくは複数のセグメントで構成される階層を複数同時に伝送することが可能である。このうち、伝送パラメータの項目の１つである変調方式が６４ＱＡＭである階層（以下、固定受信階層と記す。）については伝送ビットレートが大きいために、固定受信端末向けとされている。ただし、電波が比較的良好に受信できるエリアでは例えば、カーナビゲーションシステム等の移動端末での受信も想定される。一方、カーナビゲーションシステム等の移動端末向けとして、変調方式が１６ＱＡＭで、且つ信号帯域中央部の１セグメント以外のセグメントを含む階層（以下、移動受信階層と記す。）を構成することも可能である。
【０００３】
また、送信する信号帯域中央部の１セグメントのみで構成される階層（以下、部分受信階層と記す。）は、変調方式がＱＰＳＫ、若しくは１６ＱＡＭであり、受信処理を行う上で雑音や妨害などに強く携帯受信端末向けとされている。このことから一般に、部分受信階層は、携帯電話やＰＤＡ等の信号帯域中央部の１セグメントのみを受信する携帯受信端末向けコンテンツ伝送に割いているのが現状である。ただし電波環境が悪く、携帯受信以外の階層が受信できないエリアでは、カーナビゲーションシステム等の移動端末での受信も想定される。
【０００４】
ここで携帯受信以外の受信端末向けコンテンツとしては、高い伝送ビットレートを必要とする高品質映像と高品質音声（以下、高品質素材と記す。）が、携帯受信端末向けコンテンツとしては少ない伝送ビットレートであっても伝送可能な簡易映像と簡易音声（以下、簡易素材と記す。）が放送される。
【０００５】
日本の地上デジタル放送では各放送局は一般的に、放送対象区域内のあらゆる地域で当該放送を受信可能とするために、複数の放送用無線局を設備する。ここで各放送用無線局では、送出するＴＳ(Ｔｒａｎｓｐｏｒｔ  Ｓｔｒｅａｍ)信号は同一であるが、一部若しくは全局の送信周波数が異なる場合（ＭＦＮネットワーク：Ｍｕｌｔｉ−Ｆｒｅｑｕｅｎｃｙ  Ｎｅｔｗｏｒｋ）がある。
【特許文献１】特開２００３−１３４０６４号公報（１頁目、図１）
【特許文献２】特開２００３−２９４４５９号公報（１頁目、図１）
【特許文献３】特開２００３−１１１１２７号公報（１頁目、図１）
【発明の開示】
【発明が解決しようとする課題】
【０００６】
このようなＭＦＮネットワークの地上デジタル放送を移動受信する場合において、受信装置が複数の放送用無線局の放送エリア（当該無線局電波を再生可能である品質で受信可能であるエリアの集合。）を跨ぐことは容易に想定される。そして、地上デジタル放送により提供される放送コンテンツを継続して受信するためには、移動に伴って受信装置の受信チャンネルを現在受信しているチャンネル（以下、現チャンネルと記す。）の電波受信品質が低下して再生不能となる前、あるいは前記コンテンツが再生不能な状態に至った段階になれば、短時間で移動先となる放送エリアの放送用無線局の送信チャンネル（以下、新チャンネルと記す。）に変更する必要がある。
【０００７】
以上の場合において、これまでの移動受信装置では、受信している信号が決められた品質を満たさない状態に至ることを検知して、複数のチューナーの少なくとも１つのチューナーを想定される範囲の全てのチャンネルに順次変更し、それぞれ受信品質を測定した後、全チャンネルの中で最も受信品質が良いチャンネルを新チャンネルであると判定する探知方法が取られてきた。
【０００８】
しかしながら前述のような探知方法では、現チャンネルの受信信号品質が急激に低下し、新チャンネルを検索する前に受信に必要な限界レベルを満たさなくなる場合や、そもそも具備している複数のチューナーが受信するチャンネルが１つのみである場合には、ＴＳ信号を継続的に受信することは不可能であり、従って、再生する映像や音声の提示が断絶する欠点があった。
【０００９】
そこで前述のような問題を解決するために、特開２００４−３２０４０６号公報（以下、特許文献３と記す。）に示されるような、ダブルチューナー方式を採用して、どちらかのチューナーのうちの受信状態の良好な側の信号を用いて受信する態様の移動受信装置も発表されている。この移動受信装置ではさらに、二つある一方のチューナーで移動中の該当エリアにおいて安定的な受信がなされている場合には、他方のチューナーを用いて隣接エリアの受信品質をサーチし、その隣接エリア全体の受信品質情報を記憶するメモリを具備している。ただ、この種の移動受信装置は、該移動受信装置を搭載した自動車などが移動しながら、リアルタイムにエリア毎のチャンネルの受信品質情報を収集していくようなシステムであるから、一方のチューナーで受信品質が高いと判定された放送を常に優先して車載モニター等に提示するように切替制御がなされるため、以下のような問題が起こると想定される。
【００１０】
まず地形が複雑である、あるいは市街地において建造物が電波伝搬を遮るなどの諸事情により、複数の放送用無線局の放送エリアが複雑に分布するルートを移動受信する場合では、移動受信装置の受信チャンネルを上記のように、受信信号の品質を基準としてチャンネルの切替制御を実行する場合は、短期間にチャンネル切替を繰り返えすために、映像や音声の提示が頻繁に断絶することが容易に想定される。
【００１１】
一方、デジタル放送の部分受信以外で伝送される番組コンテンツと、部分受信階層で伝送される番組コンテンツとが同一の場合であって、電波の受信品質が固定受信階層の信号を再生可能であるレベルとなるまで満たすエリアでは、部分受信以外の階層で伝送される高品質素材を提示し、その他エリアでは、部分受信階層で伝送される簡易素材に切り替える機能を具備し、且つ受信品質レベルのみを基準として高品質素材と簡易素材との提示切替の制御を実行する移動受信装置も登場している。ところが前述のような装置では、地形が複雑である、あるいは、市街地において建造物が電波伝搬を遮るなどの諸理由により、受信品質が複雑に変化するルートを移動受信する場合には、高品質素材と簡易品質素材とを短時間に繰り返して表示する制御になることが容易に想定される。そして前述のような表示方法では、視聴する上で大変な違和感が生じ、さらには視聴者に対して大きなストレスを与える要因となり得るものであった。従って、前述の特許文献３に準ずる移動受信装置にあっては、無条件に受信品質の良いほうの信号を選択して提示する制御がなされることから、受信状況の変化に応じてそのまま頻繁に切り替えられるか、若しくは、より複雑な地形状態にあれば、その変化に追従できずに断絶することがほぼ確実に予想され、上記した各問題をクリアできないものと容易に推測される。さらに、デジタル放送以外の間断の無い受信精度が要求される放送や、あるいは通信の受信に利用される移動受信装置においても、これと同様の問題を抱えており、デジタル放送受信における前述の課題のクリアを突破口とし、様々な放送形態においても応用可能な手法の発見が今後期待されている。
【００１２】
本発明は移動受信する場合に、あらかじめ受信装置に蓄積されている受信位置情報と関連づけられた受信情報データ、及び受信装置の現在位置情報を利用することにより、受信チャンネルや品質の異なる複数の映像や音声を切り替えて提示することで、継続的、あるいは視聴する上で最適な映像と音声の提示を実現する移動受信方法と、該方法を実現するための移動受信装置とを提供することにある。
【課題を解決するための手段】
【００１３】
本発明のうち請求項１記載の発明は、複数のチューナーから取得した受信チャンネルを制御する手段として、位置情報と関連付けられた受信情報データベースを利用することを特徴とする。また前記受信情報データベースの利用手法として請求項２のように、前記受信情報データベースを参照して、受信装置の移動ルート上における複数の受信チャンネルを取得が可能な地点を抽出し、当該各地点において、移動予定地点で取得可能な受信チャンネルに切り替える地点を設定したり、あるいは請求項３のように、同じく前記受信情報データベースを参照して、受信品質の異なる複数の放送番組からなる同一内容の放送番組のうちの受信品質の低い放送番組のみを取得できる地点、及び受信品質の高い放送番組を取得できる地点のそれぞれを、受信装置の移動ルート上からそれぞれ抽出し、当該各地点毎に、受信品質の高い放送番組を選択するのか、あるいは受信品質の低い番組を選択するのかを順次切り替えたり、さらに請求項４のように、前述の請求項１乃至３と同様の受信情報データベースを参照して、受信品質の異なる複数の放送番組からなる同一内容の放送番組のうちの受信品質の低い放送番組のみを取得できる地点、及び受信品質の高い放送番組を取得できる地点のそれぞれを、受信装置の移動ルート上からそれぞれ抽出し、当該各地点において受信品質の高い放送番組を取得できるエリアが予め設定された期間よりも短期間で通過すると想定される区間では、受信品質の低い放送番組を選択することもできる。
尚ここで、請求項４の記載にある「設定された期間よりも短期間で通過する」とは、本移動受信装置を載せた自動車などがルート上の移動に要する時間を意味している。
【００１４】
また本移動受信方法を実現するための移動受信装置は請求項５の記載のように、複数のアンテナと、複数のチューナーと、１又は複数の復調部と、受信位置と関連づけられた受信情報データベースを蓄積する記憶部と、受信端末の位置を特定するためのＧＰＳ受信システムと、複数のチューナーの受信チャンネルを制御するチャンネル制御部とから構成し、前記チャンネル制御部は、受信位置と関連付けられた受信情報データベースを利用し、該受信情報データベースにおいて選択された特定受信チャンネルを制御することを特徴とする。
【００１５】
ここで受信位置と関連づけられた受信情報データベースとは、ナビゲーションシステムなどに格納されている地図データ、若しくはロードマップデータに付随させる情報であって、位置情報に対応して受信可能である放送用無線局のチャンネル、及び該チャンネルを受信した場合の受信信号の品質レベルなどをデータベース化したものである。
【００１６】
また受信情報データとは、従来ある極めて標準的形態・性能の移動受信装置で受信することを前提として、放送無線局のチャンネル及び受信品質レベルを取りまとめたもの（以下、標準モデル受信データと記す。）であるが、該移動受信装置が実際に移動受信した際の受信状況の結果を基に作成したもの（以下、実受信データと記す。）、若しくは、標準モデル受信データを実受信データにより修正を加えることによって得られるもの（以下、修正受信データと記す。）であっても良い。
【００１７】
以上のように構成すると、受信位置情報と関連づけられた受信情報データから得られる情報を基に、本移動受信装置の移動に伴って現チャンネルの受信品質が低下し、これに伴って、再生する映像や音声が断絶するポイントに到達する前に、受信チャンネルを新チャンネルに切替制御することにより、デジタル放送の映像や音声の断絶を防ぐことが可能となる。
【００１８】
ここで移動受信装置が、複数のアンテナと複数のチューナーとにより構成される場合では、各チューナーの受信チャンネルは、現チャンネルから新チャンネルに移行する制御過程、若しくは複数の放送用無線局の境界エリアを移動受信する場合、それぞれが同一ではないこともある。さらに前述の内容において、再生する映像や音声が断絶するポイントに到達する前とは例えば、受信位置情報と関連付けられた受信情報データから得られるデータにおいて、現チャンネルと新チャンネルとの受信品質が逆転することが予想されるポイントを、移動受信装置が通過するタイミングにより示している。
【００１９】
しかしながら前述のタイミングにおいて、本移動受信装置の移動ルートが例えば、現チャンネルと新チャンネルとの受信品質レベルが逆転するポイントが短期間に複数存在する場合には、前述の移動ルート内の当該複数ポイントの受信品質データを平均するなど、一定の計算処理に基づいて最適な切替ポイントを判定する方法を採用する。
【００２０】
また、現チャンネルと新チャンネルとの受信品質が逆転することが予想されるポイントを、本移動受信装置が通過する場合であっても、その後に現チャンネルの受信品質が映像や音声を再生するための所要レベルを下回らない場合においては、受信チャンネルの切替制御を実行しないこともある。
【００２１】
さらに請求項６記載の発明は、前記チャンネル制御部は、複数のチューナーのうちの一部、あるいは全てのチューナーを異なる受信チャンネルに制御するので、デジタル放送を安定的に受信するために、複数の放送用無線局の電波を受信し、さらに複数の受信信号を合成処理、若しくは切替処理を施すことで、受信信号の品質を向上させることが可能となる。
【００２２】
ここで複数のチューナーを具備するデジタル放送の移動受信装置は、チューナーの出力信号を該信号帯域のキャリア単位に分割して合成する処理を施すことにより、信号品質の向上を実現しているが、これまでの移動受信装置では、チューナーの受信チャンネルは全て同一であるため、受信アンテナの取り付けられる位置と方向とが異なることに起因する出力信号の差異を利用しているものであった。
【００２３】
ここで、移動受信装置が複数の放送用無線局の電波を受信できるポイントに位置し、前記移動受信方法では所要の信号品質が得られない場合、各チューナーで異なる放送用無線局の電波を受信することによって、前記移動受信方法との比較において、各チューナー出力信号の相関は極めて低いため、ここで合成処理を施すことで、高い品質向上効果を得ると推測される。
【００２４】
さらに本移動受信装置が複数の復調部を具備する場合には、複数のチューナーで受信した放送用無線局の信号を異なる復調部に入力し、個々の復調部からそれぞれ出力される複数のＴＳ信号を切り替えることによっても、受信品質の飛躍的な向上効果を得られると推測される。
【００２５】
そして請求項７記載の発明は、複数のアンテナと、複数のチューナーと、１又は複数の復調部と、受信位置と関連づけられた受信情報データベースを蓄積する記憶部と、本移動受信装置の位置を特定するためのＧＰＳ受信システムと、複数のチューナーの受信チャンネルを制御するチャンネル制御部と、映像・音声切替部とから構成し、前記映像・音声切替部は、同一の放送番組を品質の異なる複数の映像及び音声を伴い、これを同時に伝送する放送を受信する場合に、複数の映像及び音声の提示を切替制御する手段として、位置情報と関連付けられた受信情報データベースを利用することを特徴とする。
【００２６】
前記はデジタル放送の部分受信階層で伝送される簡易素材と、部分受信以外の階層で伝送される高品質素材とが、同一の番組コンテンツであることを前提としており、複数の映像及び音声信号としては、簡易素材と高品質素材とが考えられる。
【００２７】
以上のように形成することにより、本移動受信装置の移動に伴って受信品質が低下して高品質素材が再生不可能となるポイントに到達する前の段階で、受信位置情報と関連付けられた受信品質データベースから得られる情報とに基づき、簡易素材の表示への切り替えに関わる制御を行うことにより、デジタル放送の映像や音声の提示の際の断絶を防止できる。
【００２８】
また本移動受信装置の移動に伴い、受信品質が向上し高品質素材が再生可能となるポイントに到達した後には、簡易素材から高品質素材に表示を切替制御をすることにより、デジタル放送の映像や音声の表示品質を速やかに向上させられる。
【００２９】
ただし地形が複雑である、若しくは市街地において建造物が電波伝搬を遮るなどの理由により、受信品質が複雑に変化するルートを移動受信する場合には、本移動受信装置の移動ルートにおいて、高品質素材が再生不可能となるポイントが短期間に複数存在している場合が容易に想定できる。このような高品質素材が再生可能である期間が一定の時間を満たさない場合には、移動中に前述のようなエリアに差し掛かった場合であっても、簡易素材を継続して表示することにより、表示品質が短時間に繰り返し変化することを回避できる。
【発明の効果】
【００３０】
本発明によれば、ＭＦＮネットワークのデジタル放送を移動受信する場合において、移動受信装置の位置情報と関連づけられた受信情報データベースから得られる情報を基に、将来の受信品質を予測することが可能となるため、本移動受信装置の移動に伴って現チャンネルの受信品質が低下する前に、受信チャンネルを新チャンネルに切替制御することにより、継続的にデジタル放送の映像や音声を提示することが可能となる。また位置情報と関連付けられた受信情報データベースを利用することは、デジタル放送の受信に限らず、デジタル放送以外で間断の無い受信精度が要求される放送や通信の受信への応用も可能となることが推測され、デジタル放送受信への適用を突破口として利用の可能性が飛躍的に広がることが期待できる。
【００３１】
また、本移動受信装置が複数のチューナーにより受信した複数の放送用無線局の受信信号に、合成処理若しくは切替処理を施すことによって、継続的にデジタル放送の映像や音声を提示することが可能となるとともに、受信性能を向上させることが可能となる。
【００３２】
さらに、受信位置情報と関連づけられた受信情報データベースから得られる情報を基に、本移動受信装置の移動に伴って簡易素材と該簡易素材よりも高品質である素材との提示を効果的に切替制御することによって、デジタル放送の映像や音声を継続的、且つ視聴する上で快適な品質で提示することが可能となる。
【発明を実施するための最良の形態】
【００３３】
以下、本発明によるデジタル放送の移動受信装置について、各図面に基づいて該移動受信装置の利用方法を交えて説明する。
【００３４】
ここで各図面における各々の移動受信装置については全ての事例において、２つの放送受信アンテナ２ａ,２ｂ及び２つのチューナー４ａ,４ｂによる構成で記載しているが、これは例えば、１つ若しくは３つ以上であっても良い。また各図面において複数のチューナー４ａ,４ｂの受信チャンネルは必ずしも同一とは限らないため、本移動受信装置が同時に受信する放送用無線局は１つの場合と複数の場合とがある。さらに各図面において、各チューナー４ａ,４ｂの出力信号が受信品質検出部８に入力されているが、１又は複数の放送受信アンテナ２ａ,２ｂからの出力信号や、あるいは、前記復調部７ａ,７ｂから得られる受信品質レベルを示すデータであっても良い。
【００３５】
まず、図１は本願の請求項５に基づく移動受信装置１ａであり、主として２本の各放送受信アンテナ２ａ,２ｂ、２つの各チューナー４ａ,４ｂ、復調部７ａ、デコーダー１１、映像モニター１２、スピーカー１３、ＧＰＳ受信用アンテナ３、ＧＰＳ受信部６、受信品質検出部８、受信データ処理部９、受信情報記録部（受信情報データベースを含む。）１０、チャンネル制御部５により構成している。
【００３６】
本移動受信装置１ａにおいては、デジタル放送の電波は、各放送受信アンテナ２ａ,２ｂ、及び当該各放送受信アンテナ２ａ,２ｂに対応する各チューナー４ａ,４ｂで各々受信され、さらに復調部７ａに出力される。また復調部７ａでは、各チューナー４ａ,４ｂから出力される同一、もしくは異なる放送局からのデジタル信号を合成処理した後に、これを復調してＴＳ信号を出力する。そして前記ＴＳ信号を入力したデコーダー１１では、このＴＳ信号に含まれている映像・音声データなどの情報源信号を復元し、この復元データを本移動受信装置１ａに実装した映像モニター１２及びスピーカー１３で提示する。
【００３７】
ここで各放送受信アンテナ２ａ,２ｂで受信した１つ、若しくは複数の放送用無線局の信号は受信品質検出部８に入力され、各チューナー４ａ,４ｂの受信品質レベルを受信データ処理部９に通知する。
【００３８】
また受信情報記録部１０には、本移動受信装置１ａの所在する位置情報に関連づけられた複数の放送無線局からの受信品質レベルを示すデータ（以下、受信情報データと記す。）が格納されている。
【００３９】
ここで受信情報データは各チューナー４ａ,４ｂの受信チャンネルを切り替える判断を実行するために有用なものであって、該データは例えば放送局毎のファイルに格納されており、該ファイル内のデータは該放送局の放送エリア内の主要道路上の例えば、５ｍ間隔のポイントの緯度経度情報、該位置における該放送局に属する放送用無線局の中で受信品質レベルが高い２つの放送用無線局の受信チャンネル（以下、品質の高い方を第一候補受信チャンネル、他方を次候補受信チャンネルと記す。）、２つの放送用無線局を該受信位置で受信した際に予想されるＣ／Ｎ値などで示される受信品質レベル、さらにはチューナー４ａ,４ｂをそれぞれ第一候補受信チャンネルと次候補受信チャンネルに制御するためのフラグデータ（以下、異チャンネル制御フラグと記す。）により構成される。
【００４０】
また前述した受信情報データとしては標準モデル受信データや、実受信データ、あるいは修正受信データの３種類が想定される。
【００４１】
まず標準モデル受信データは、本移動受信装置１ａ,１ｂ,１ｃ,１ｄに実装したＣＤ−ＲＷドライブやＤＶＤ−ＲＯＭドライブなどに代表されるデータ読み込み部１７において、外部で生成されたデータをＣＤ−ＲＯＭやＤＶＤ−ＲＯＭなどの外部記憶媒体を用いて複製したり、あるいはインターネット網１８・ＬＡＮ等の各種通信手段を利用して伝送することで、受信情報記録部１０にデータベースとして蓄積されたものである。次に実受信データは、受信品質検出部８から得られる受信品質レベルとＧＰＳ受信部６から得られる移動受信装置１ａの所在位置情報とに基づき、受信データ処理部９において生成されるデータである。さらに修正受信データは、前述した標準モデル受信データを実受信データにより修正することで生成される。
【００４２】
さらにＧＰＳ受信アンテナ３及びＧＰＳ受信部６では、ＧＰＳ電波を受信し、本移動受信装置１ａの現在位置と移動方向の情報とをそれぞれ受信データ処理部９へ出力する。
【００４３】
そして視聴者が選択した放送局の情報（以下、選局情報と記す。）は、チャンネル制御部５を経由して前記受信データ部９に伝達される。これを受けて受信データ処理部９では、本移動受信装置１ａの現在位置と移動方向に該当する、選局された放送局に所属する放送無線局の受信情報データを、受信情報記録部１０から読み出す。さらに読み出された受信情報データと、受信品質検出部８から伝送される各放送受信アンテナ２ａ,２ｂの受信品質レベルとに基づいて、所定のプログラム化された方法に即して受信チャンネルの切替制御を判定し、チャンネル制御部５に対してチャンネル切替の制御命令を返送する。
【００４４】
ここで、前述した受信チャンネルの切替制御の判定を行うためのプログラム内容の一例（以下、プログラム例と記す。）について説明すると、このプログラム例は、まず受信データ処理部９が受信情報データを参照して、該受信位置における受信情報データに異チャンネル制御フラグが存在する場合には、チューナー４ａを第一受信チャンネル、チューナー４ｂを次候補受信チャンネルに制御する。一方、異チャンネル制御フラグが存在しない場合には、チャンネル制御部５に対して第一受信チャンネルへの制御命令を伝達する。ここで受信検出部８において、所要の受信品質レベルが検出されており、且つ受信位置の移動によっても受信情報データの第一受信チャンネルが変わらない期間には、受信データ処理部９はチャンネル制御部５に対してチャンネル制御命令を伝達しない。しかし、一定の時間内に所要の受信品質レベルが検出されない場合には、次候補受信チャンネルへの制御命令を伝達する。さらに一定の時間内に所要の受信品質レベルが検出されない場合には、一定の時間間隔でデジタル放送の想定される範囲の全チャンネルに順次受信チャンネルを制御し、最高の受信品質レベルを検出した受信チャンネルへの制御命令を伝達する。さらに、ここでも全チャンネルが所要の受信品質レベルを満たさない場合には、チューナー４ａを第一受信チャンネル、チューナー４ｂを次候補受信チャンネルとした状態で所要の受信品質レベルが検出されるまで待機する。
【００４５】
次にチャンネル制御部５では、選局された放送局の放送用無線局から送信される電波を受信するために、各チューナー４ａ,４ｂの受信チャンネルを制御する。
【００４６】
また図５に示すものは、本移動受信装置１ａ,１ｂ，１ｃ，１ｄを搭載した自動車などが、移動開始点から移動終点までのルートに沿って移動した際の制御イメージ図である。ここでは移動ルートの設定時に、Ａチャンネル放送受信エリア（以下、Ａと記す。）からＢチャンネル放送受信エリア（以下、Ｂと記す。）に跨るエリアをあらかじめ抽出し、該移動ルート上のＲ−７地点をАからＢへの切替点として設定したものである。
【００４７】
次に図２に該当する実施形態では、２つ復調部７ａ,７ｂで構成される場合の移動受信装置１ｂについて記載しており、この装置の場合は、各復調部７ａ,７ｂから出力されたＴＳ信号の出力を、ＴＳ信号切替部１６で切り替えてデコーダー１１に入力する。
尚、本実施形態では２つの復調部７ａ,７ｂを備える場合について記載しているが、これが３つ以上備えてあっても良い。
【００４８】
また、本移動受信装置１ｂの受信データ処理部９は、該本移動受信装置１ｂの現在位置及び移動方向のそれぞれに該当する、選局された放送局に所属する放送無線局の受信情報データと、受信品質検出部８から伝送される各放送受信アンテナ２ａ,２ｂの受信品質レベルとに基づいてプログラム化された方法に即して、受信チャンネル及びＴＳ信号の切替制御を判定し、チャンネル制御部５に対してチャンネル切替の制御命令を、またＴＳ信号切替部１６に対してＴＳ信号切り替えの制御命令を伝達する。
【００４９】
本実施形態においても、受信データ処理部９はチャンネル制御部５に対して、前述したプログラム例（段落番号「００４３」の記載を参照。）で示すようなプログラムの内容に沿って、チャンネル制御命令を伝達している。またＴＳ信号切替部１６に対しては、受信品質検出部８で検出した受信品質が高い方の復調部７ａ，７ｂから出力されるＴＳ信号を選択する命令を伝達する。
【００５０】
次に図３に示すものは、本願の請求項７に基づいた移動受信装置１ｃであり、主として放送受信アンテナ２ａ,２ｂ、チューナー４ａ,４ｂ、これらに対応する２つの復調部７ａ,７ｂ、２つのデコーダー１１ａ,１１ｂ、映像切替部１４、映像モニター１２、音声切替部１５、スピーカー１３、ＧＰＳ受信用アンテナ３、ＧＰＳ受信部６、受信品質検出部８、受信データ処理部９、受信情報記録部１０、チャンネル制御部５で構成される。
【００５１】
そして本移動受信装置１ｃにおけるデジタル放送の電波は、各放送受信アンテナ２ａ,２ｂ及び各チューナー４ａ,４ｂで受信され、各々に対応する復調部７ａ,７ｂにそれぞれ出力される。また各復調部７ａ,７ｂでは、前記各チューナー４ａ,４ｂから出力される同一、若しくは異なる放送局からのデジタル信号を合成処理した後に復調し、ＴＳ信号を出力する。
【００５２】
ここで本移動受信装置１ｃにおいて、２つある各復調部７ａ,７ｂの一方７ａ（図中では復調部１として示す。）は、地上デジタル放送の全ての信号帯域を復調している。また他方（ここでは復調部２として示す。）７ｂは、地上デジタル放送の中央部の１セグメントのみの信号帯域を復調している。このため、前述した他方の復調部７ｂから出力されるＴＳ信号は、部分受信階層で伝送される信号のみで構成される。
【００５３】
また２つのデコーダーのうちの一方（図中ではデコーダー２として示す。）のデコーダー１１ｂは、部分受信階層で伝送される映像／音声データを復号する機能、また他方（図中ではデコーダー１として示す。）１１ａは、部分受信以外の階層で伝送される映像／音声データを復号する機能をそれぞれ具備している。
【００５４】
このために一方のデコーダー１１ａにおいては、部分受信以外の階層で伝送される高品質素材が出力され、また他方のデコーダー１１ｂにおいては、部分受信階層で伝送される簡易素材が出力されるが、これにより、同一の番組ではあるが品質が異なる２つの映像／音声信号は、映像切替部１４及び音声切替部１５において切替制御され、それぞれ映像モニター１２及びスピーカー１３で提示される。
【００５５】
また受信データ処理部９では、移動受信装置１ｃの現在位置と移動方向に該当する選局された放送局に所属する放送無線局の受信情報データと、受信品質検出部８から伝送される受信品質レベルとに基づいて、プログラム化された方法に即して復号された映像／音声信号の切替制御を判定し、映像切替部１４及び音声切替部１５に対して素材切替の制御命令を伝達する。
【００５６】
そして、前述の映像／音声信号の切替制御を判定する場合にも、受信データ処理部９はチャンネル制御部５に対して、例えば前述のプログラム例（段落番号「００４３」の記載を参照。）と同様の内容に沿って、チャンネル制御命令を伝達している。また受信データ処理部９は受信情報記録部１０から読み出された該受信装置１ｃにおける受信チャンネルの受信品質レベルがデコーダー１１ａにおいて高品質素材を復元可能である値（以下、高品質レベルと記す。）を満たしているときには映像切替部１４及び音声切替部１５に対してデコーダー１１ａから出力される映像及び音声信号を選択する命令を伝達する。
【００５７】
また図６に示すものは、本移動受信装置を搭載した自動車などが、移動開始点から移動終点までのルートに沿って移動した際の制御イメージ図である。ここでは移動ルートの設定時に、携帯受信以外の階層が受信可能であるエリア（以下、Ｃと記す。）から携帯受信階層のみが受信可能であるエリア（以下、Ｄと記す。）に跨るエリアをあらかじめ抽出し、該移動ルート上におけるＲ−１とＲ−１０地点を高品質素材から簡易素材への切替点、またＲ−５とＲ−１５地点を簡易素材から高品質素材への切替点として設定したものである。ここで、映像及び音声信号を継続的に提示するために、Ｒ−１とＲ−１０は両エリアの境界点の前方向に、またＲ−５とＲ−１５は両エリアの境界点の後方向に、切替点をそれぞれ一定距離分シフトさせる。またＲ−１５地点においては、高品質素材が受信可能である期間が一定時間より短いために高品質簡易素材から簡易素材への切替を行わない。
【００５８】
ここで、受信品質検出部８において受信品質が高品質レベルを満たしており、且つＧＰＳ受信部６から得られる一定の時間経過後における将来の受信位置を含めて、受信情報データの受信チャンネルの受信品質レベルが高品質レベルを満たしている期間には、受信データ処理部９は、映像切替部１４及び音声切替部１５に対して映像及び音声信号を選択する命令を伝達しない。一方、受信品質検出部８において一定の時間内に受信品質が高品質レベルを満たさない場合には、受信データ処理部９は映像切替部１４及び音声切替部１５に対してデコーダー１１ｂから出力される映像及び音声信号を選択する命令を伝達する。その後、受信品質検出部８において一定の時間を計測して受信品質が高品質レベルを満たし、且つ一定の時間経過後における将来の受信位置における受信チャンネルの受信品質レベルが高品質レベルを満たしている場合には、受信データ処理部９は、映像切替部１４及び音声切替部１５に対してデコーダー１１ａから出力される映像及び音声信号を選択する命令を伝達する。
【００５９】
また図４に示すように、本移動受信装置１ｄは、１つのデコーダー１１によって構成される場合であっても良い。この場合、２つの復調部７ａ,７ｂから各々出力される２つの対応するＴＳ信号は、ＴＳ信号切替部１６に入力され、受信データ処理部９からの選択命令に従い、映像／音声信号が選択され、デコーダー１１に出力されている。
【図面の簡単な説明】
【００６０】
【図１】本発明による移動受信装置の構成を説明するブロック図である。
【図２】同じく、本移動受信装置の他の実施形態の構成を説明するブロック図である。
【図３】同じく、本移動受信装置の他の実施形態の構成を説明するブロック図である。
【図４】同じく、本移動受信装置の他の実施形態の構成を説明するブロック図である。
【図５】本移動受信装置による受信チャンネルの切替点の設定手法の一例を示した説明図である。
【図６】同じく、本移動受信装置による携帯受信／携帯受信以外の映像及び音声の切替点の設定手法の一例を示した説明図である。
【図１】
2006197498.tif 000003
【図２】
2006197498.tif 000004
【図３】
2006197498.tif 000005
【図４】
2006197498.tif 000006
【図５】
2006197498.tif 000007
【図６】
2006197498.tif 000008